(57)【要約】【課題】ケーブルモデム装置の基板から受ける妨害を防ぐことができ、高品位な分配信号を外部装置に送り出すことができるケーブルモデムモジュール装置、ケーブルモデム装置及び放送受信装置を提供すること。【解決手段】ケーブルモデムモジュール装置１のケーブルモデムモジュール基板３２を介さずに、チューナ部２の分配信号の第１の出力端子９Ａとケーブルモデムモジュール装置１の分配信号の第２の出力端子１０が結合されるため、チューナ部２で分配された下り受信信号をケーブルモデムモジュール装置１のケーブルモデムモジュール基板３２から伝わる様々の妨害から守ることができる。第１，第２のグランド端子１２，１３についても同様に適用できる。【選択図】  図１
2005184550.tif 000002
【特許請求の範囲】
【請求項１】
送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段を貫通して設けられ、前記ケーブルモデムモジュール部から分配信号を出力するための出力端子であって、該出力端子は前記ケーブルモデムモジュール基板を介さずに、前記第１の出力端子と直接接続される第２の出力端子と、
を具備したことを特徴とするケーブルモデムモジュール装置。
【請求項２】
送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
一端が前記チューナ基板に接続され、他端が前記第１のシールド手段を貫通して設けられた第１のグランド端子と、
前記第２のシールド手段を貫通して設けられたグランド端子であって、該グランド端子は前記ケーブルモデムモジュール基板を介さずに、前記第１のグランド端子と直接接続される第２のグランド端子と、
を具備したことを特徴とするケーブルモデムモジュール装置。
【請求項３】
送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段を貫通して設けられ、前記ケーブルモデムモジュール部から分配信号を出力するための出力端子であって、該出力端子は前記ケーブルモデムモジュール基板を介さずに、前記第１の出力端子と直接接続される第２の出力端子と、
一端が前記チューナ基板に接続され、他端が前記第１のシールド手段を貫通して設けられた第１のグランド端子と、
前記第２のシールド手段を貫通して設けられたグランド端子であって、該グランド端子は前記ケーブルモデムモジュール基板を介さずに、前記第１のグランド端子と直接接続される第２のグランド端子と、
を具備したことを特徴とするケーブルモデムモジュール装置。
【請求項４】
送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段に設けられる開口部であって、前記第１の出力端子が前記第２のシールド手段に接触することなく延出し、直接前記ケーブルモデムモジュール部の外部高周波装置と接続可能にする開口部と、
を具備したことを特徴とするケーブルモデムモジュール装置。
【請求項５】
送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
一端が前記チューナ基板に接続され、他端が前記第１のシールド手段を貫通して設けられた第１のグランド端子と、
前記第２のシールド手段に設けられる開口部であって、前記第１のグランド端子が前記第２のシールド手段に接触することなく延出し、直接前記ケーブルモデムモジュール部の外部高周波装置と接続可能にする開口部と、
を具備したことを特徴とするケーブルモデムモジュール装置。
【請求項６】
送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段に設けられる開口部であって、前記第１の出力端子が前記第２のシールド手段に接触することなく延出し、直接前記ケーブルモデムモジュール部の外部装置と接続可能にする第１の開口部と、
一端が前記チューナ基板に接続され、他端が前記第１のシールド手段を貫通して設けられた第１のグランド端子と、
前記第２のシールド手段に設けられる開口部であって、前記第１のグランド端子が前記第２のシールド手段に接触することなく延出し、直接前記ケーブルモデムモジュール部の外部装置と接続可能にする第２の開口部と、
を具備したことを特徴とするケーブルモデムモジュール装置。
【請求項７】
前記開口部が、前記第２のシールド手段に穴状でなく切り欠き状に設けられていることを特徴とする請求項４〜６のいずれか１つに記載のケーブルモデムモジュール装置。
【請求項８】
前記第１，第２の出力端子は、前記ケーブルモデムモジュール部の第２のシールド手段の外部に延出する他の端子群と同一面に配置されることを特徴とする請求項１又は４に記載のケーブルモデムモジュール装置。
【請求項９】
前記第１，第２のグランド端子は、前記ケーブルモデムモジュール部の第２のシールド手段の外部に延出する他の端子群と同一面に配置されることを特徴とする請求項２または５に記載のケーブルモデムモジュール装置。
【請求項１０】
前記第１，第２の出力端子および前記第１，第２のグランド端子は、前記ケーブルモデムモジュール部の第２のシールド手段の外部に延出する他の端子群と同一面に配置されることを特徴とする請求項３または６に記載のケーブルモデムモジュール装置。
【請求項１１】
前記ケーブルモデムモジュール部の外部に設けられた利得制御部によって、前記チューナ部に内蔵された利得可変部の利得を制御して、前記ケーブルモデムモジュール部に備えられた分配信号を出力する前記第１の出力端子から出力される下り信号の利得を制御可能な利得制御端子をさらに具備したことを特徴とする請求項１，３，４，６〜１０のいずれか１つに記載のケーブルモデムモジュール装置。
【請求項１２】
請求項１〜１１のいずれか１つに記載のケーブルモデムモジュール装置を用いて構成されることを特徴とするケーブルモデム装置。
【請求項１３】
請求項１〜１１のいずれか１つに記載のケーブルモデムモジュール装置を用いて構成されることを特徴とする放送受信装置。
【発明の詳細な説明】
【技術分野】
【０００１】
本発明は、小型化に適し、回路間のスプリアス妨害の減少を目的にモジュール化されたケーブルモデムモジュール装置、ケーブルモデム装置及び放送受信装置に係り、実装においては各モジュールのマザー基板に配線する端子からの相互の干渉を防止することが可能なケーブルモデムモジュール装置、ケーブルモデム装置及び放送受信装置に関する。
【背景技術】
【０００２】
ＣＡＴＶ放送で使用される双方向ＣＡＴＶホームターミナルは、各ユーザ宅に設置し多チャンネルのＣＡＴＶサービスを可能にする装置であり、ＣＡＴＶ放送局（以下、ＣＡＴＶセンター局という）と加入者間で、双方向データ通信もできるようにしたものである。
【０００３】
このような双方向ＣＡＴＶホームターミナルにおいては、簡易な回路構成で小型化に適し、しかも回路間のスプリアス妨害の減少、上りデータ変調信号の高調波に基づくビート妨害の発生防止、ホームターミナル間で一方のタミーナルの局部発振器の漏洩信号に基づくビート妨害の発生防止、或るホームターミナルの故障に基づきホームターミナルからＣＡＴＶセンター局への通信不能となることの防止等を図り、高性能でコスト的にも有利な双方向ＣＡＴＶホームターミナルを実現することが必要となる。
【０００４】
そこで、チューナ、分波・分配回路、上りデータ変調回路、下りデータ復調回路を有する双方向ＣＡＴＶホームターミナルにおいて、チューナ，上りデータ変調回路、をそれぞれ独立した金属シャーシ内にモジュール化し，かつ下りデータ復調回路と分波・分配回路とを一緒にして、別の金属シャーシ内にモジュール化した双方向ＣＡＴＶホームターミナルが提案されている（例えば、特許文献１参照）。
【０００５】
ところで、近年、放送技術、通信技術のマルチメディア化、デジタル化に伴い、放送と通信技術分野の融合が実現しつつある。
【０００６】
例えばＣＡＴＶ回線では、電話回線に比較して大量のデータ伝送能力を有するので、ＣＡＴＶ回線を利用してネットワークを構築し、そしてインターネットを経由したデータ通信サービスを行うことが考えられている。この場合は、ＣＡＴＶ回線網には加入者端末である通信機器（例えばコンピュータ機器）が接続され、コンピュータ機器は、ＣＡＴＶ回線網、インターネットを経由して各種サーバーをアクセスすることになる。
【０００７】
ＣＡＴＶセンター局はＣＡＴＶ回線網を介して各ユーザ宅に接続され、各ユーザ宅内では、テレビジョン番組を受信するアダプタを介してテレビ受像機に接続され、さらに、ケーブルモデムを介して、コンピュータ機器に接続されている。
【０００８】
このような構成のＣＡＴＶシステムにおいて、ＣＡＴＶセンター局からユーザ宅にＣＡＴＶ回線網を介して、前記テレビジョン信号と、各種情報信号（以下、下り信号：ダウンストリームという）を送信する際には、通常６０〜８６０ＭＨｚの周波数帯域が用いられている。一方、ユーザ宅からＣＡＴＶセンター局にＣＡＴＶ回線網を介して、各種情報信号（以下、上り信号：アップストリームという）を送信する際には、通常５〜５０ＭＨｚの周波数帯域が用いられている。
【０００９】
ＣＡＴＶセンター局からユーザ宅に送信される下り信号としては、前記テレビジョン信号とそのテレビジョン信号に関わる各種情報信号、例えばユーザ識別信号等、及びＣＡＴＶセンター局を介して接続されたＰＣ−ＬＡＮからの各種情報データの信号が存在する。
【００１０】
一方、ユーザ宅からＣＡＴＶセンター局に送信される上り信号としては、テレビジョン信号受信に関わる識別信号及び前記コンピュータ機器から前記ＰＣ−ＬＡＮと各種情報データを交信するデータ信号が存在する。
【００１１】
なお、これらＣＡＴＶセンター局とユーザ宅の間で交信される信号の伝送量を増やすために、ＱＰＳＫ(Quadrature Phase Shift Keyingの略)やＱＡＭ(Quadrature Amplitude Modulationの略)等のデジタル変調された信号が使用される。
【００１２】
ケーブルモデム装置はエンドユーザーが直接扱うことのできる、独立した機器として製品化されている。
【００１３】
このようなケーブルモデム装置においても、小型化に適し、回路間のスプリアス妨害の減少を目的にモジュール化されるが、実装においては各モジュールのマザー基板に配線する端子からの相互の干渉を防止する配置が必要となる。このような配置を行う場合、一般的な分配信号の出力方法としては分配信号の出力端子を一旦ケーブルモデム装置の基板に配線した後にケーブルモデム装置に備えられた端子によって外部高周波装置と結ぶ手法が考えられるが、この場合はケーブルモデム装置の基板に配線することで、分配信号の出力端子から送り出された下り信号がケーブルモデム装置に配線されている他の信号から妨害を受けることになる。
【特許文献１】特開平９−３２２１４２号公報
【発明の開示】
【発明が解決しようとする課題】
【００１４】
上記の如く、従来のケーブルモデム装置は、小型化に適し、回路間のスプリアス妨害の減少を目的にモジュール化されているが、実装においては各モジュールのマザー基板に配線する端子からの相互の干渉を防止する配置が必要となる。
【００１５】
そこで、本発明は、上記の問題に鑑みてなされたものであり、ケーブルモデム装置の基板から受ける妨害を防ぐことができ、高品位な分配信号を外部装置に送り出すことができるケーブルモデムモジュール装置、ケーブルモデム装置及び放送受信装置を提供することを目的とするものである。
【課題を解決するための手段】
【００１６】
本発明によるケーブルモデムモジュール装置は、送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段を貫通して設けられ、前記ケーブルモデムモジュール部から分配信号を出力するための出力端子であって、該出力端子は前記ケーブルモデムモジュール基板を介さずに、前記第１の出力端子と直接接続される第２の出力端子と、を具備したことを特徴とする。
【００１７】
この発明によれば、ケーブルモデムモジュール装置の基板を介さずにチューナ部の分配信号の第１の出力端子とケーブルモデムモジュール装置の分配信号の第２の出力端子が結合されるため、チューナ部で分配された下り受信信号をケーブルモデムモジュール装置の基板から伝わる様々の妨害から守ることができる。
【００１８】
本発明によるケーブルモデムモジュール装置は、送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
一端が前記チューナ基板に接続され、他端が前記第１のシールド手段を貫通して設けられた第１のグランド端子と、
前記第２のシールド手段を貫通して設けられたグランド端子であって、該グランド端子は前記ケーブルモデムモジュール基板を介さずに、前記第１のグランド端子と直接接続される第２のグランド端子と、を具備したことを特徴とする。
【００１９】
この発明によれば、ケーブルモデムモジュール装置の基板を介さずにチューナ部の第１のグランド端子とケーブルモデムモジュール装置の第２のグランド端子が結合されるため、ケーブルモデムモジュール装置の基板から伝わる様々の妨害の影響の少ないグランド電位（基準電位）を取り出すことができる。
【００２０】
本発明によるケーブルモデムモジュール装置は、送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段を貫通して設けられ、前記ケーブルモデムモジュール部から分配信号を出力するための出力端子であって、該出力端子は前記ケーブルモデムモジュール基板を介さずに、前記第１の出力端子と直接接続される第２の出力端子と、
一端が前記チューナ基板に接続され、他端が前記第１のシールド手段を貫通して設けられた第１のグランド端子と、
前記第２のシールド手段を貫通して設けられたグランド端子であって、該グランド端子は前記ケーブルモデムモジュール基板を介さずに、前記第１のグランド端子と直接接続される第２のグランド端子と、を具備したことを特徴とする。
【００２１】
この発明によれば、ケーブルモデムモジュール装置の基板を介さずにチューナ部の分配信号の第１の出力端子とケーブルモデムモジュール装置の分配出力用の第２の出力端子が結合されるため、チューナ部で分配された下り受信信号をケーブルモデムモジュール装置の基板から伝わる様々の妨害から守ることができる。加えて、ケーブルモデムモジュール装置の基板を介さずにチューナ部の第１のグランド端子とケーブルモデムモジュール装置の第２のグランド端子が結合されるため、ケーブルモデムモジュール装置の基板から伝わる様々の妨害の影響の少ないグランド電位（基準電位）を得ることもできる。従って、第１，第２の信号出力端子同士と第１，第２のグランド端子同士との双方をケーブルモデムモジュール装置の基板を介さずに直接接続し、第２の出力端子と第２のグランド端子は対をなして高周波伝送路を形成することで、基板からの妨害に強いケーブルモデムモジュール装置を実現することができる。
【００２２】
本発明によるケーブルモデムモジュール装置は、送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段に設けられる開口部であって、前記第１の出力端子が前記第２のシールド手段に接触することなく延出し、直接前記ケーブルモデムモジュール部の外部高周波装置と接続可能にする開口部と、を具備したことを特徴とする。
【００２３】
この発明によれば、ケーブルモデムモジュール装置の第２のシールド手段であるシールドケースに開口部を設けることで、ケーブルモデムモジュール装置に第２の出力端子を備える必要が無いためコスト的に有利であり、またチューナ部からの分配信号の第１の出力端子がケーブルモデムモジュール装置に接触することなく外部に導き出されるため、ケーブルモデムモジュール装置の基板や第２のシールドケースに伝わる様々の妨害から下り受信信号を守ることができる。
【００２４】
本発明によるケーブルモデムモジュール装置は、送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
一端が前記チューナ基板に接続され、他端が前記第１のシールド手段を貫通して設けられた第１のグランド端子と、
前記第２のシールド手段に設けられる開口部であって、前記第１のグランド端子が前記第２のシールド手段に接触することなく延出し、直接前記ケーブルモデムモジュール部の外部高周波装置と接続可能にする開口部と、を具備したことを特徴とする。
【００２５】
この発明によれば、ケーブルモデムモジュール装置の第２のシールド手段であるシールドケースに開口部を設けることで、ケーブルモデムモジュール装置に第２のグランド端子を備える必要が無いためコスト的に有利であり、またチューナの第１のグランド端子がケーブルモデムモジュール装置に接触することなく外部に導き出されるため、ケーブルモデムモジュール装置の基板や第２のシールドケースから伝わる様々の妨害の影響の少ないグランド電位（基準電位）を得ることもできる。
【００２６】
本発明によるケーブルモデムモジュール装置は、送信信号と受信信号を分離するための分波器、および受信信号の分配処理、周波数変換処理、帯域制限並び増幅処理を行う回路部品を搭載したチューナ基板で構成され、ＣＡＴＶセンター局と高周波信号を送受信するためのチューナ部と、
前記チューナ部の外周囲を電磁的にシールドする第１のシールド手段と、
前記チューナ部、並びに、前記チューナ部に対して入出力する下り・上りのデータ信号の変復調処理、外部装置との送受信処理を行う回路部品を搭載したケーブルモデムモジュール基板で構成されるケーブルモデムモジュール部と、
前記ケーブルモデムモジュール部の外周囲を電磁的にシールドする第２のシールド手段と、
前記第１のシールド手段を貫通して設けられ、前記チューナ部から分配信号を出力する第１の出力端子と、
前記第２のシールド手段に設けられる開口部であって、前記第１の出力端子が前記第２のシールド手段に接触することなく延出し、直接前記ケーブルモデムモジュール部の外部装置と接続可能にする第１の開口部と、
一端が前記チューナ基板に接続され、他端が前記第１のシールド手段を貫通して設けられた第１のグランド端子と、
前記第２のシールド手段に設けられる開口部であって、前記第１のグランド端子が前記第２のシールド手段に接触することなく延出し、直接前記ケーブルモデムモジュール部の外部装置と接続可能にする第２の開口部と、を具備したことを特徴とする。
【００２７】
この発明によれば、ケーブルモデムモジュール装置の第２のシールド手段であるシールドケースに開口部を設けることで、ケーブルモデムモジュール装置に第２の出力端子や第２のグランド端子を備える必要が無いためコスト的に有利であり、またチューナ部からの分配信号の第１の出力端子や第１のグランド端子がケーブルモデムモジュール装置に接触することなく外部に導き出され、第１の出力端子と第１のグランド端子は対をなして高周波伝送路を形成することができるため、ケーブルモデムモジュール装置の基板や第２のシールドケースに伝わる様々の妨害から下り受信信号やグランド電位（基準電位）を守ることができる。従って、極めてコスト的に有利で、且つケーブルモデムモジュール装置の基板や第２のシールドケースに伝わる様々の妨害に強いケーブルモデムモジュール装置を実現することができる。
【００２８】
本発明において、前記開口部が、前記第２のシールド手段に穴状でなく切り欠き状に設けられていることを特徴とする。
【００２９】
この発明によれば、ケーブルモデムモジュール装置の分配信号の第１の出力端子が挿通する第２のシールドケースの外周箇所を切り欠くことで、開口部として丸穴を設けた場合と比較して、ケーブルモデムモジュール装置の第２のシールドケースに対し、チューナ部が実装されたケーブルモデムモジュール装置の基板（ケーブルモデムモジュール基板）を垂直方向にはめ込むことが容易になり、生産効率を上げることができる。
【００３０】
本発明において、前記第１，第２の出力端子及び／又は前記第１，第２のグランド端子は、前記ケーブルモデムモジュール部の第２のシールド手段の外部に延出する他の端子群と同一面に配置されることを特徴とする。
【００３１】
この発明によれば、ケーブルモデムモジュール装置の出力端子及び／又はグランド端子が同一面にあることで、外部装置にケーブルモデムモジュール装置を実装する際、一度に全端子を半田付けすることができるので生産効率が向上する。
【００３２】
本発明において、前記ケーブルモデムモジュール部の外部に設けられた利得制御部によって、前記チューナ部に内蔵された利得可変部の利得を制御して、前記ケーブルモデムモジュール部に備えられた分配信号を出力する前記第１の出力端子から出力される下り信号の利得を制御可能な利得制御端子をさらに具備したことを特徴とする。
【００３３】
この発明によれば、分配器によって分配された下り信号を利得可変部で利得を制御できる様にした場合、分配信号の出力端子側である第２の出力端子から出力される下り信号の利得を、ケーブルモデムモジュール部の外部で制御でき、利得制御操作が容易となる。
【００３４】
本発明によるケーブルモデム装置は、以上述べたケーブルモデムモジュール装置を用いて構成されることを特徴とする。
【００３５】
この発明によれば、以上の様な特徴をもったケーブルモデムモジュール装置を使ってケーブルモデム装置を作ることで、基板からの妨害が少ないケーブルモデムモジュール装置を使用して開発期間が短縮でき、またケーブルモデムモジュール装置がシールドケースに収められているため、ケーブルモデム装置内で発生する不要輻射等によって搭載されたケーブルモデムモジュール装置の性能に影響を与えることを防ぐことができる。
【００３６】
本発明による放送受信装置は、以上述べたケーブルモデムモジュール装置を用いて構成されることを特徴とする。
【００３７】
この発明によれば、以上の様な特徴をもったケーブルモデムモジュール装置を使って放送受信装置を作ることで、基板からの妨害が少ないケーブルモデムモジュール装置を使用して開発期間が短縮でき、またケーブルモデムモジュール装置がシールドケースに収められているため、放送受信装置内で発生する不要輻射等によって搭載されたケーブルモデムモジュール装置の性能に影響を与えることを防ぐことができる。
【発明の効果】
【００３８】
本発明によれば、チューナ部からケーブルモデムモジュール装置の基板を介さずに分配信号の出力端子、またはグランド端子をケーブルモデムモジュール装置の外部に導出することができるため、ケーブルモデムモジュール装置の基板から伝わる様々の妨害の影響から守るができ、高品位な分配信号を外部装置に送り出すことが可能となる。
【発明を実施するための最良の形態】
【００３９】
発明の実施の形態について図面を参照して説明する。
【実施例１】
【００４０】
図１に本発明の実施例１のケーブルモデムモジュール装置の概略構成を示すブロック図である。
【００４１】
このケーブルモデムモジュール装置１は、ＣＡＴＶセンター局１１との通信の制御、ＣＡＴＶセンター局１１からの下り受信信号を映像等を受信するための外部チューナ２６へ配信、ＣＡＴＶセンター局１１へ送信する上り送信信号の生成、ＣＡＴＶセンター局１１から送信されてくる下り受信信号の復調、ケーブルモデム装置２５に接続されている外部装置２０とデータの通信の制御、電源回路２４等の機能を有する。
【００４２】
ケーブルモデムモジュール装置１は、上記の機能を有するためにＣＡＴＶセンター局１１とテレビジョン放送信号や各種情報データ信号を送受信する高周波信号を扱うチューナ部２を備えている。ケーブルモデムモジュール装置１は、チューナ部２のほかに、トランシーバＬＳＩ３と、ＭＡＣ(Media Access Controlの略)部５と、マイコン４と、メモリ７と、イーサネット（Ethernet）（Ｒ）インターフェイス（Ｉ／Ｆ）部８と、を備えている。
【００４３】
チューナ部２は、下り受信信号を通過させるための高域通過フィルタと上り送信信号を通過させるための低域通過フィルタを備えた分波回路（ダイプレクサ回路とも呼ばれる）１４と、分波回路１４の高域通過フィルタからの信号を分配する分配器１６と、分配器１６によって分配出力９側に分配された下り信号を、チューナ部２の外部に備えられた利得制御端子２１によって、利得の制御ができる機能を備えた利得可変部１５Ａと、分配器１６によって混合器１７の入力側に分配された下り信号を、トランシーバＬＳＩ３の利得制御部（ＡＧＣ）にて利得の制御ができる機能を備えた利得可変部１５Ｂと、発振器１８と、発振器１８からの信号と利得可変部１５Ｂからの下り受信信号を混合するための混合器１７と、混合器１７からの出力信号を帯域制限するためのＳＡＷフィルタ1９と、ゲイン制御可能なアンプであるプログラマブルゲインアンプ２２と、を備えている。混合器１７及び発振器１８は周波数変換部を構成している。利得制御端子２１は、ケーブルモデムモジュール装置１の外部に配設された利得制御部２３に接続して、チューナ部２内の利得可変部１５Ａの利得を制御できるようにしている。図示しないが、ＳＡＷフィルタ１９とトランシーバＬＳＩ３のＡ／Ｄ入力間にも利得制御部を設けている。
【００４４】
トランシーバＬＳＩ３は、チューナ部２から周波数変換されて出力される下り受信信号をデジタル信号に変換するＡ／Ｄ変換部、デジタル信号に変換された下り受信信号を復調しデータ化するＱＡＭ復調部、利得可変部１５Ｂを利得制御するＡＧＣ部、上り送信信号を変調するＱＡＭ変調部、デジタル信号をアナログ信号に変換するＤ／Ａ変換部などの機能を備えたＬＳＩで構成されている。
【００４５】
また、トランシーバＬＳＩ３でデータ化された下り受信信号はＭＡＣ部５に入力される。ＭＡＣ部５で生成され出力されたデジタルの上り送信信号は、トランシーバＬＳＩ３にて変調及びＤ／Ａ変換され、アナログ信号に変換された上り送信信号はチューナ部２へ供給され、ＣＡＴＶセンター局１１へ送信される。
【００４６】
また、ＭＡＣ部５は前記のようにＣＡＴＶセンター局１１と送受信したデータを、ケーブルモデム装置２５の下り側の外部装置２０と送受信する機能を有する。ＭＡＣ部５の下り側データ入出力端子には、イーサネット（Ｒ）インターフェイス部８と接続されている。イーサネット（Ｒ）インターフェイス部８のさらに下り側のデータ入出力端子はイーサネット（Ｒ）でＩＥＥＥ８0２.３等の規格の形式になっており、外部装置２０とデータの通信を行うために接続されている。ＭＡＣ部５には、これらの部品の動作および機能を制御するマイコン４、メモリ７が接続されている。
【００４７】
チューナ部２はチューナ部品を搭載したチューナ基板で構成され、第１のシールド手段である金属ケース３１に納められている（図２参照）。
【００４８】
チューナ部２を収納した金属ケース３１は、金属固定脚３１ａにてケーブルモデムモジュール基板３２と複数箇所（例えば４箇所）で固定されている（図３，図５参照）。ケーブルモデムモジュール基板３２の上には、チューナ部２のほかに、トランシーバＬＳＩ３、ＭＡＣ部５、マイコン４、メモリ７、イーサネット（Ｒ）インターフェイス部８が搭載されており、これらの部品及びケーブルモデムモジュール基板３２は第２のシールド手段である金属ケース３０の内部に収納されている。なお、利得制御端子２１、第１のグランド（ＧＮＤ）端子１２、分配信号９の第１の出力端子９Ａは、後述するようにケーブルモデムモジュール基板３２を介さずに、金属ケース３０の側壁を貫通する形で外部に延出されている。金属ケース３０は、これらはケーブルモデムモジュール装置１内外の不要輻射を遮蔽する機能を有する。
【００４９】
図２は実施例１に係わるケーブルモデムモジュール装置１の外観斜視図を示している。 
図２において、チューナ部２からの分配信号９は、チューナ部のシールド用の金属ケース３１を貫通して設けられた第１の出力端子９Ａより外部に導き出され、前記第１の出力端子９Ａはケーブルモデムモジュール装置１のシールド用の金属ケース３０を貫通して設けられた第２の出力端子１０によって外部装置である外部チューナ２６に配線接続されている。
【００５０】
この場合は、前記第１の出力端子９Ａを、ケーブルモデムモジュール基板３２を介さずに、第２のシールド手段である金属ケース３０に設けられた第２の出力端子１０に半田等で直接接続した構成なっている。なお、図２で、金属ケース３０の外部に引き出される第２出力端子１０は、図２のケーブルモデムモジュール基板３２から出ている複数の端子からなる端子群Ｆと同方向にかつ同一面上となるように配置されている。
【００５１】
図３はケーブモデムモジュール装置の側面からの透視図である。 
ＣＡＴＶセンター局１１からの下り信号は、ケーブルモデムモジュール装置１本体のＲＦ用同軸コネクタ６より入力され、内蔵されたチューナ部２によって分配され、その分配信号９は第１の出力端子９Ａを通しケーブルモデムモジュール装置１内に引き出される。この第１の出力端子９Ａとケーブルモデムモジュール装置１に備えられた第２の出力端子１０とをケーブルモデムモジュール装置のケーブルモデムモジュール基板３２を介さず、直接半田Ｓで空中で接続する構成としている。
【００５２】
前述したように、チューナ部２を収納した金属ケース３１は、金属固定脚３１ａにてケーブルモデムモジュール基板３２と複数箇所（例えば４箇所）で固定されている。前記金属固定脚３１ａと前記ケーブルモデムモジュール基板３２のグランドとの間は必要に応じて電気的に接続するが、接続方法には３つの方法がある。
【００５３】
すなわち、(1) 前記ケーブルモデムモジュール基板３２の銅箔などの導電体を用いて直流から高周波までを広帯域に接続する方法、(2)フェライトビーズ（フェライトの小型のもので低い周波数では低インピーダンスを呈し、高い周波数領域で高インピーダンスを呈す）を用いて、金属ケース３１とケーブルモデムモジュール基板３２のグランドとの間を直流的に同電位とし交流的にはオフ（浮いている）状態とする方法、(3)セラミックコンデンサなどのコンデンサを用いて、金属ケース３１とケーブルモデムモジュール基板３２のグランドとの間を交流的に同電位とし直流的にはオフ（浮いている）状態とする方法、がある。
【００５４】
例えば、これら３つの接続方法を組み合わせて、金属ケース３１とケーブルモデムモジュール基板３２のグランドとの間を接続する際に、複数（例えば４つ）の接続箇所のうちの１箇所を上記(1)の方法で接続し、他の３箇所を上記(2)又は(3)の方法で接続する。このようにグランド間接続を行うのに上記３つの方法や不接続を適宜に組み合わせるのは、ケーブルモデムモジュール装置のような高周波信号を扱うチューナ部を収容した装置では、ケーブルモデムモジュール装置内の各種の回路の配置や、外部接続される外部装置の配設位置などによって、送受信性能が影響を受け、それに伴いグランド間接続方法を適宜変えることが必要となるためである。
【００５５】
実施例１によれば、ケーブルモデムモジュール装置１の基板３２から受ける妨害を防ぐことができ、高品位な分配信号を外部高周波装置である外部チューナ２６に送り出すことができる。例えば、ケーブルモデムモジュール基板３２を介さずにチューナ部２の分配信号の第１の出力端子９Ａとケーブルモデムモジュール装置１の分配信号の第２の出力端子１０が結合されるため、チューナ部２で分配された下り受信信号をケーブルモデムモジュール装置１の基板３２から伝わる様々の妨害から守ることができる。
【００５６】
また、実施例１によれば、分配器１６によって分配された下り信号を利得可変部１５Ａで利得を制御できる様にした場合、分配信号の第２の出力端子１０から出力される下り信号の利得を、ケーブルモデムモジュール部の外部で制御でき、利得制御操作が容易となる。
【実施例２】
【００５７】
図４は実施例２に係わるケーブルモデムモジュール装置１Ａの外観斜視図を示している。 
図４において、チューナ部２からの分配信号９はチューナ部のシールド用の金属ケース３１を貫通して設けられた第１の出力端子９Ａより外部に導き出され、前記第１の出力端子９Ａはケーブルモデムモジュール装置１のシールド用の金属ケース３０を貫通して設けられた第２の出力端子１０によって外部装置である外部チューナ２６に配線接続されている。そして、更に、チューナ部２にシールド用の金属ケース３１を貫通して設けられた第１のグランド端子１２が、実施例１と同様にケーブルモデムモジュール基板３２を介さずに、直接ケーブルモデムモジュール装置１のシールド用の金属ケース３１に設けられた第２のグランド端子１３と空中で接続されている。
【００５８】
この場合は、実施例１における第１，第２の出力端子９Ａ，１０間の直接接続のほかに、チューナ部２からの第１のグランド端子１２を、ケーブルモデムモジュール基板３２を介さずに、第２のシールド手段である金属ケース３０に設けられた第２のグランド端子１３に半田等で直接接続した構成なっている。なお、図３についても、図２と同様に、金属ケース３０の外部に引き出される第２の出力端子１０及び第２のグランド端子１３は、図３のケーブルモデムモジュール基板３２から出ている複数の端子からなる端子群Ｆと同方向にかつ同一面上となるように配置されている。
【００５９】
図５はケーブルモデムモジュール装置１Ａにおけるグランド端子部分を側面から見た透視図である。チューナ部２に備えられた第１のグランド端子１２とケーブルモデムモジュール装置１に備えられた第２のグランド用の端子１３とを、ケーブルモデムモジュール装置１のケーブルモデムモジュール基板３２を介さずに、直接半田Ｓで空中で接続する構成としている。
【００６０】
チューナ部２の金属ケース３１とケーブルモデムモジュール基板３２のグランドとの間の接続方法については、実施例１の場合と同様である。
【００６１】
実施例２によれば、ケーブルモデムモジュール装置１Ａの基板３２を介さずにチューナ部２の分配信号の第１の出力端子９Ａとケーブルモデムモジュール装置１Ａの分配出力用の第２の出力端子１０が結合されるため、チューナ部２で分配された下り受信信号をケーブルモデムモジュール装置１Ａの基板３２から伝わる様々の妨害から守ることができる。加えて、ケーブルモデムモジュール装置１Ａの基板３２を介さずにチューナ部２の第１のグランド端子１２とケーブルモデムモジュール装置１Ａの第２のグランド端子１３が結合されるため、ケーブルモデムモジュール装置１の基板３２から伝わる様々の妨害の影響の少ないグランド電位（基準電位）を得ることもできる。従って、第１，第２の信号出力端子同士と第１，第２のグランド端子同士との双方をケーブルモデムモジュール装置の基板を介さずに直接接続することで、基板からの妨害に強いケーブルモデムモジュール装置を実現することができる。
【００６２】
なお、実施例２の構成で、変形例として、第１，第２のグランド端子１２，１３同士のみをケーブルモデムモジュール装置１Ａの基板３２を介さずに直接接続する構成としてよいことは勿論である。このように構成すれば、ケーブルモデムモジュール装置１Ａの基板３２を介さずにチューナ部２の第１のグランド端子１２とケーブルモデムモジュール装置１Ａの第２のグランド端子１３が直接接続されるため、ケーブルモデムモジュール装置１Ａの基板３２から伝わる様々の妨害の影響の少ないグランド電位（基準電位）を取り出すことができる。
【実施例３】
【００６３】
図６は実施例３に係わるケーブルモデムモジュール装置１Ｂの外観斜視図を示している。 
図６においては、図４における第１，第２の出力端子９Ａ，１０の直接接続、及び第１，第２のグランド端子１２，１３の直接接続に加えて、利得制御端子２１，２１Ｂを直接接続する構成としたものである。
【００６４】
すなわち、チューナ部２からはその金属ケース３１を貫通して設けられた第１の利得制御端子２１が導出されており、またケーブルモデムモジュール装置１Ｂからはその金属ケース３１を貫通して設けられた第２の利得制御端子２１Ｂが外部に導出されて利得制御部２３に接続する構成となっており、第１，第２の利得制御端子２１，２１Ｂは、ケーブルモデムモジュール基板３２を介さずに、直接半田等にて空中で接続する構成となっている。
【００６５】
その他の構成は、実施例２と同様である。 
実施例３によれば、実施例１，２の効果に加えて、ケーブルモデムモジュール装置１の基板３２を介さずにチューナ部２の利得制御信号の第１の出力端子２１とケーブルモデムモジュール装置１の利得制御用の第２の出力端子２１Ｂが結合されるため、チューナ部２の利得可変部１５Ａに対する利得制御信号をケーブルモデムモジュール装置１の基板３２から伝わる様々の妨害から守ることができる。
【実施例４】
【００６６】
図７(a)は図３同様にケーブルモデムモジュール装置１の側面からの透視図であり、
図７(b)はその要部を示す部分斜視図である。
【００６７】
実施例１と同様にチューナ部２から出力された分配信号９が、チューナ部２の金属ケース３１を貫通して設けられた第１の出力端子９Ａによって導出されており、ケーブルモデムモジュール装置１の金属ケース３０には開口部として丸穴３０ａが設けられており、第１の出力端子９Ａが丸穴３０ａの略中心部を貫通して金属ケース３０に接触することなく延出し、直接外部装置である外部チューナ２６に引き出されて接続可能とされる。
【００６８】
実施例４によれば、ケーブルモデムモジュール装置１の第２のシールド手段である金属ケース３０に開口部を設けることで、ケーブルモデムモジュール装置１に第２の出力端子を備える必要が無いためコスト的に有利であり、またチューナ部２からの分配信号の第１の出力端子９Ａがケーブルモデムモジュール装置１に接触することなく外部に導き出されるため、ケーブルモデムモジュール装置１の基板３２やシールド用の金属ケース３０に伝わる様々の妨害から下り受信信号を守ることができる。
【００６９】
なお、実施例４の変形例として、分配信号の第１の出力端子９Ａに代えて、第１のグランド端子１２に対してケーブルモデムモジュール装置１の金属ケース３０に設けた丸穴３０ａの略中心部を貫通して金属ケース３０に接触することなく外部に延出する構成としてもよいことは勿論である。このようにすれば、ケーブルモデムモジュール装置の第２のシールド手段である金属ケース３０に開口部を設けることで、ケーブルモデムモジュール装置に第２のグランド端子を備える必要が無いためコスト的に有利であり、またチューナ部２からの第１のグランド端子１２がケーブルモデムモジュール装置１に接触することなく外部に導き出されるため、ケーブルモデムモジュール装置１の基板３２やシールド用の金属ケース３０に伝わる様々の妨害からグランド電位（基準電位）を守ることができる。
【００７０】
図８は図７の変形例であり、ケーブルモデムモジュール装置１の金属ケース３０の、チューナ部２から出力された分配信号９の第１の出力端子９Ａが通る開口部分を切り欠いてあることを特徴とするものである。すなわち、ケーブルモデムモジュール装置１の第２のシールド手段である金属ケース３０に設ける開口部を、図７の丸穴３０ａに代えて、切り欠き３０ｂを形成したものである。第１のグランド端子１２に対しても同様に適用できる。
【００７１】
この変形例によれば、ケーブルモデムモジュール装置１の分配信号の第１の出力端子９Ａが挿通するシールド用の金属ケース３０の外周箇所を切り欠くことで、開口部として丸穴を設けた場合と比較して、ケーブルモデムモジュール装置１の金属ケース３０に対し、チューナ部２が実装されたケーブルモデムモジュール装置１の基板３２を垂直方向にはめ込むことが容易になり、生産効率を上げることができる。
【００７２】
なお、図７及び図８の場合も、金属ケース３０の外部に引き出される第１の出力端子９Ａ又は第１のグランド端子１２は、実施例１で述べたのと同様に、図２，図４又は図６に示したようなケーブルモデムモジュール基板３２から出ている複数の端子からなる端子群Ｆと同方向にかつ同一面上となるように配置されていることが好ましい。
【実施例５】
【００７３】
図９は本発明の実施例５に係るケーブルモデム装置２５を示す斜視図である。
【００７４】
図９において、ケーブルモデム装置２５は、その筐体３５内に、実施例１〜４で述べたケーブルモデムモジュール装置１及びＣＡＴＶ用ＲＦ同軸コネクタ６のほかに、外部装置２０、利得制御部２３、電源回路２４、外部高周波装置である外部チューナ２６を収容して構成されている。
【００７５】
この実施例５によれば、実施例１〜４の様な特徴をもったケーブルモデムモジュール装置１，１Ａ又は１Ｂを使ってケーブルモデム装置２５を作ることで、ケーブルモデムモジュール基板３２からの妨害が少ないケーブルモデムモジュール装置を使用可能で、開発期間が短縮でき、またケーブルモデムモジュール装置がシールド用の金属ケース３０に収められているため、ケーブルモデム装置２５内で発生する不要輻射等によって搭載されたケーブルモデムモジュール装置の性能に影響を与えることを防ぐことができる。
【実施例６】
【００７６】
図１０は本発明の実施例６に係る放送受信装置２７を示す斜視図である。
【００７７】
図１０において、放送受信装置２７は、その筐体３６内に、実施例１〜４で述べたケーブルモデムモジュール装置１，１Ａまたは１Ｂ、及びＣＡＴＶ用ＲＦ同軸コネクタ６のほかに、外部装置２０、利得制御部２３、電源回路２４、外部高周波装置である外部チューナ２６、地上波放送および衛星放送受信部３７、地上波放送受信用同軸コネクタ６Ａ、衛星放送受信用同軸コネクタ６Ｂを収容して構成されている。
【００７８】
地上波放送および衛星放送受信部３７は、例えば、１２ＧＨｚ帯に割り当てられた衛星放送の電波を受信するアンテナ部のダウンコンバータに接続され、９５０ＭＨｚ〜２ＧＨｚ程度の中間周波数信号を受信したり、６０ＭＨｚ〜８６０ＭＨｚ程度の周波数の地上波放送を受信したりするものである。なお、放送受信装置２７において、地上波放送および衛星放送受信部３７は、上述したようなアンテナに接続されることに限定されるものではなく、放送の形態に応じて、例えば地上波放送を受信するアンテナや、衛星放送を受信するアンテナに接続されていればよい。
【００７９】
また、地上波放送および衛星放送受信部３７を備えないものであってもＣＡＴＶ用ＲＦ同軸コネクタ６から入力された放送だけを受信するものであっても良い。
【００８０】
さらに、図１０では放送受信装置２７をセットトップボックス型の例で示したが、テレビジョンセットやパーソナルコンピュータ等の表示装置を伴う実施例であっても良い。
【００８１】
この実施例６によれば、実施例１〜４の様な特徴をもったケーブルモデムモジュール装置１，１Ａ又は１Ｂを使って放送受信装置２７を作ることで、ケーブルモデムモジュール基板３２からの妨害が少ないケーブルモデムモジュール装置を使用可能で、開発期間が短縮でき、またケーブルモデムモジュール装置がシールド用の金属ケース３０に収められているため、放送受信装置２７内で発生する不要輻射等によって搭載されたケーブルモデムモジュール装置の性能に影響を与えることを防ぐことができる。
【００８２】
尚、図１の構成の変形例として、図１１に示すように分配器１６の前段に増幅器３４を設けた構成としてもよい。これらの分配器１６は、高周波トランス（Transformer）などの受動回路もしくは半導体集積回路などの能動回路で構成する。分配器１６を能動回路で構成する場合は、利得可変部１５Ａ，１５Ｂや増幅器３４と一体で構成することが合理性がある。利得可変部１５Ａ，１５Ｂは必ずしも正の利得である必要は無く、ＰＩＮダイオードなどを用いた負の利得（減衰器）でも良い。
【００８３】
さらに他の実施例として、利得可変部１５Ａは固定利得とし、利得可変部分を外部チューナ２６に備えることも有効である。
【００８４】
前記第１，第２の出力端子９Ａ，１０、第１，第２のグランド端子１２，１３、第１，第２の利得制御端子２１，２１Ｂの形態に関しては、(1)プラスチックの固定部と金属導体を組み合わせたものや、(2)貫通型コンデンサ等がある。
【産業上の利用可能性】
【００８５】
本発明は、テレビジョン信号及び各種データ信号が送受信可能なケーブルモデム装置は勿論のこと、地上波放送、衛星放送などの送受信も可能な放送受信装置を、ケーブルモデムモジュール装置を用いて構成する際に広く応用することが可能となる。
【図面の簡単な説明】
【００８６】
【図１】本発明の実施例１によるケーブルモデムモジュール装置の概略ブロック図。
【図２】実施例１に係わるケーブルモデムモジュール装置の外観斜視図。
【図３】実施例１に係わるケーブルモデムモジュール装置の出力端子の接続例を説明する側面からの透視図。
【図４】本発明の実施例２に係わるケーブルモデムモジュール装置の外観斜視図。
【図５】実施例２に係わるケーブルモデムモジュール装置の出力端子の接続例を説明する側面からの透視図。
【図６】本発明の実施例３に係わるケーブルモデムモジュール装置の外観斜視図。
【図７】本発明の実施例４に係わるケーブルモデムモジュール装置の要部を示す部分斜視図。
【図８】実施例４の変形例を示す部分斜視図。
【図９】本発明の実施例５に係るケーブルモデム装置を示す斜視図。
【図１０】本発明の実施例６に係る放送受信装置を示す斜視図。
【図１１】実施例１の変形例を示す概略ブロック図。
【符号の説明】
【００８７】
１…ケーブルモデムモジュール装置
２…チューナ部
３…トランシーバ  ＬＳＩ
４…マイコン
５…ＭＡＣ部
６…ＲＦ用同軸コネクタ
７…メモリ
８…インターフェース部
９…分配出力
９Ａ…（分配信号の）第１の出力端子
１０…（分配信号の）第２の出力端子
１１…ＣＡＴＶセンター局
１２…第１のグランド端子
１３…第２のグランド端子
１４…分波回路
１５Ａ，１５Ｂ…利得可変部
１６…分配器
１７…混合器
１８…発振器
１９…ＳＡＷフィルタ
２０…外部装置
２１…利得制御端子
２３…利得制御部
２４…電源回路
２５…ケーブルモデム装置
２６…外部チューナ（外部高周波装置）
２７…放送受信装置
３０…金属ケース
３１…金属ケース
３２…ケーブルモデムモジュール基板
３３…チューナ基板
代理人    弁理士      伊    藤      進 
【図１】
2005184550.tif 000003
【図２】
2005184550.tif 000004
【図３】
2005184550.tif 000005
【図４】
2005184550.tif 000006
【図５】
2005184550.tif 000007
【図６】
2005184550.tif 000008
【図７】
2005184550.tif 000009
【図８】
2005184550.tif 000010
【図９】
2005184550.tif 000011
【図１０】
2005184550.tif 000012
【図１１】
2005184550.tif 000013